(57)【要約】【課題】転倒防止装置を良好に装着することができる転倒防止装置の装着治具、及びこの治具を用いた転倒防止装置の装着方法を提供する。【解決手段】転倒防止装置の装着治具は、転倒防止装置の第１ベース部３０Ａを家具Ｆの上面に当接させた状態で、第２ベース部３０Ｂを天井Ｃの所望する位置に当接させる。また、この転倒防止装置の装着治具は、スライド板５０Ａ及び案内部５０Ｂを備えている。スライド板５０Ａは板状をなして一方向に長く延びており、裏面のクッション部材５０Ｃを天井Ｃに当接させ、長手方向の一端部から他端部に向けて表面に滑り止め部３７を当接させながらスライドさせて第２ベース部３０Ｂを天井Ｃの所望の位置に当接させる。案内部５０Ｂはスライド板５０Ａの長手方向の一端部から中間部にかけて、スライド板５０Ａの一対の長辺のそれぞれに沿って設けられ、第２ベース部３０Ｂをスライド板５０Ａの一端部から他端部に案内する。【選択図】図１
2017217057.tif 000002
【特許請求の範囲】
【請求項１】
伸長方向に付勢力を発生するダンパ部、及び前記ダンパ部の伸長方向の両端のそれぞれに設けられ、設置面上に設置された物品の上面及び天井のそれぞれに当接する当接面が設けられた一対のベース部を有した転倒防止装置の一方のベース部を前記物品の上面又は前記天井に当接させた状態で、他方のベース部を前記天井又は前記物品の上面の所望する位置に当接させる転倒防止装置の装着治具であって、
板状をなして一方向に長く延びており、裏面を前記物品の上面又は前記天井に当接させ、長手方向の一端部から他端部に向けて表面に前記当接面を当接させながらスライドさせて前記他方のベース部を前記天井又は前記物品の上面の所望の位置に当接させるスライド板と、
前記スライド板の長手方向の一端部から中間部にかけて、前記スライド板の一対の長辺のそれぞれに沿って設けられ、前記他方のベース部を前記スライド板の一端部から他端部に案内する案内部と、
を有するスライド部材を備えていることを特徴とする転倒防止装置の装着治具。
【請求項２】
前記スライド板は、
長手方向の中間部から他端部に向けて板厚が薄くなる傾斜部を有していることを特徴とする請求項１に記載の転倒防止装置の装着治具。
【請求項３】
前記スライド板の表面に前記当接面が当接した前記他方のベース部に当接する当接部、及び前記スライド板の表面に摺接する摺接面を有し、前記当接部によって前記他方のベース部を前記スライド板の一端部から他端部に向けて押し込み、前記他方のベース部を前記天井又は前記物品の上面の所望の位置に摺接しながらスライドさせる押込み部材を備えていることを特徴とする請求項１又は２記載の転倒防止装置の装着治具。
【請求項４】
前記物品の上面側に前記当接面が当接する前記一方のベース部と、前記物品の背面に位置する壁面との間に当接して設けられ、前記他方のベース部を前記スライド板の一端部から他端部に向けて案内したときに、前記一方のベース部を所定の位置に固定させる位置決め部材を備えていることを特徴とする請求項１乃至３のいずれか１項記載の転倒防止装置の装着治具。
【請求項５】
前記物品の上面又は前記天井に前記一方のベース部を当接する第１工程と、
前記天井又は前記物品の上面に前記スライド板の裏面を当接して、前記スライド板の他端を前記物品の背面に位置する壁面に突き当てて前記スライド部材を配置する第２工程と、
前記スライド板の表面に前記他方のベース部の前記当接面を当接して、前記押込み部材を用いて、前記他方のベース部を前記スライド板の一端部から他端部に押し込みスライドさせ、前記他方のベース部を前記スライド板の長手方向の中間部から他端部側に配置する第３工程と、
前記他方のベース部の前記天井又は前記物品の上面に対する位置を保持して、前記スライド部材を前記天井又は前記物品の上面に沿わせて回動させてから引き抜く第４工程と、
を備えていることを特徴とする請求項３又は４に記載の転倒防止装置の装着治具を用いた転倒防止装置の装着方法。
【発明の詳細な説明】
【技術分野】
【０００１】
本発明は転倒防止装置の装着治具及びこの治具を用いた転倒防止装置の装着方法に関するものである。
【背景技術】
【０００２】
特許文献１は従来の転倒防止装置を開示している。この転倒防止装置は、物品側ベース部、天井側ベース部、及びダンパを備えている。物品側ベース部は物品に接触して配置される。天井側ベース部は天井に接触して配置される。ダンパは内部に作動油及び窒素ガスが封入されている。これにより、この転倒防止装置は、ダンパがダンパ内部に封入された窒素ガスによって伸長方向に付勢する付勢力が付与されている。ダンパは両端部のそれぞれが物品側ベース部と天井側ベース部とに回動自在に連結される。
【０００３】
この転倒防止装置は、天井側ベース部を物品側ベース部よりも物品の背面が沿う壁から離れる位置に配置して、ダンパを鉛直方向に対して傾斜させて配置する。これにより、例えば、物品が揺れて壁から離れる方向に傾いた場合、ダンパが物品の揺れに伴う伸縮動作によって減衰力を発生する。このため、この転倒防止装置は、物品の揺れを抑制して物品の転倒を効果的に防止することができる。また、この転倒防止装置は封入された窒素ガスによって伸長方向に付勢する付勢力によって、物品側ベース部、及び天井側ベース部のそれぞれが物品の上面、及び天井に押付けられる。このため、この転倒防止装置は物品の上面と天井との間から外れることなく物品の上面と天井との間に確実に装着することができる。
【０００４】
この転倒防止装置を物品の上面及び天井の間に取り付ける場合、先ず、ダンパを傾斜させずに直立した状態で物品と天井との間に設置する。このとき、ダンパは装着後の長さより短くなるまで収縮する。そして、治具を物品の上面に設置する。そして、ダンパを治具に向けて傾けダンパの表面を治具に当接させる。このとき、ダンパは封入された窒素ガスによる伸長方向の付勢力によって、ダンパが伸長して物品側ベース部、及び天井側ベース部のそれぞれが物品の上面、及び天井に押付けられる。これにより、この転倒防止装置はダンパを鉛直方向に対して所定の角度に傾斜させて物品の上面及び天井との間に容易に取り付けることができる。
【先行技術文献】
【特許文献】
【０００５】
【特許文献１】特開２０１５−６３３０号公報
【発明の概要】
【発明が解決しようとする課題】
【０００６】
この転倒防止装置は物品の上面及び天井の間に装着する際、一旦、ダンパを傾斜せずに直立した状態で物品と天井との間に設置した後、物品の上面に配置した治具にダンパの表面を当接させることによってダンパを鉛直方向に対して所定の角度に傾斜させている。つまり、この転倒防止装置は物品の上面及び天井の間に装着する際、一旦ダンパを装着後の長さより短くなるまで収縮しなければならないため装着するのに手間が掛かる。
【０００７】
本発明は、上記従来の実情に鑑みてなされたものであって、容易に転倒防止装置を装着することができる装着治具及びこの治具を用いた転倒防止装置の装着方法を提供することを解決すべき課題としている。
【課題を解決するための手段】
【０００８】
本発明の転倒防止装置の装着治具を用いて装着する転倒防止装置は伸長方向に付勢力を発生するダンパ部、及びダンパ部の伸長方向の両端のそれぞれに設けられ、設置面上に設置された物品の上面及び天井のそれぞれに当接する当接面が設けられた一対のベース部を有している。
【０００９】
本発明の転倒防止装置の装着治具は転倒防止装置の一方のベース部を物品の上面又は天井に当接させた状態で、他方のベース部を天井又は物品の上面の所望する位置に当接させる。また、本発明の転倒防止装置の装着治具は、スライド板及び案内部を備えている。スライド板は板状をなして一方向に長く延びており、裏面を物品の上面又は天井に当接させ、長手方向の一端部から他端部に向けて表面に当接面を当接させながらスライドさせて他方のベース部を天井又は物品の上面の所望の位置に当接させる。案内部はスライド板の長手方向の一端部から中間部にかけて、スライド板の一対の長辺のそれぞれに沿って設けられ、他方のベース部をスライド板の一端部から他端部に案内する。
【００１０】
この転倒防止装置の装着治具はスライド板の表面に他方のベース部の当接面を当接させながら他方のベース部をスライド板の表面を自在にスライドさせることができる。また、この転倒防止装置の装着治具は、他方のベース部をスライド板の表面をスライドさせる際に、案内部によってスライド板から他方のベース部が脱落することを防止する。このため、この転倒防止装置の装着治具は容易に他方のベース部をスライド板の表面をスライドさせて、転倒防止装置を所望の位置に装着することができる。
【００１１】
したがって、本発明の転倒防止装置の装着治具は、容易に転倒防止装置を装着することができる。
【００１２】
本発明のスライド板は、長手方向の中間部から他端部に向けて板厚が薄くなる傾斜部を有し得る。この場合、この転倒防止装置の装着治具は傾斜部がスライド板の他端部に向けて薄く形成されている。これにより、この転倒防止装置の装着治具は傾斜部に到達した他方のベース部の当接面と物品の上面又は天井との間から容易に傾斜部を抜き取ることができる。また、設置した転倒防止装置の他方のベース部を移動させる場合、この転倒防止装置の装着治具はスライド部の傾斜部を他方のベース部の当接面と物品の上面又は天井との間に容易に差し込むことができる。これにより、この転倒防止装置の装着治具は転倒防止装置の他方のベース部を容易に移動させることができ、転倒防止装置の設置する位置を容易に微調整できる。また、転倒防止装置を容易に取り外すこともできる。
【００１３】
本発明の転倒防止装置の装着治具は、スライド板の表面に当接面が当接した他方のベース部に当接する当接部、及びスライド板の表面に摺接する摺接面を有し、当接部によって他方のベースをスライド板の一端部から他端部に向けて押し込み、他方のベース部を天井又は物品の上面の所望の位置に摺接しながらスライドさせる押込み部材を備え得る。この場合、この転倒防止装置の装着治具は、転倒防止装置のダンパ部に不用意に触れることなく他方のベース部を物品の上面又は天井の所望の位置に押し込むことができる。このため、この転倒防止装置の装着治具は転倒防止装置を装着する際に、ダンパ部が変形したり、傷ついたりすることを抑えることができる。
【００１４】
本発明の転倒防止装置の装着治具は、物品の上面側に当接面が当接する一方のベース部と、物品の背面に位置する壁面との間に当接して設けられ、他方のベース部をスライド板の一端部から他端部に向けて案内したときに、一方のベース部を所定の位置に固定させる位置決め部材を備え得る。この場合、この転倒防止装置の装着治具はスライド板の表面を他方のベース部を壁面に向けてスライドさせる場合、一方のベース部が物品の上面側の所望の位置から壁面に向かいずれることを抑えることができる。
【００１５】
本発明の転倒防止装置の装着治具を用いた転倒防止装置の装着方法は、第１工程、第２工程、第３工程、及び第４工程を備え得る。第１工程は物品の上面又は天井に一方のベース部を当接する。第２工程は天井又は物品の上面にスライド板の裏面を当接して、スライド板の他端を物品の背面に位置する壁面に突き当ててスライド部材を配置する。第３工程はスライド板の表面に他方のベース部の当接面を当接して、押込み部材を用いて、他方のベース部をスライド板の一端部から他端部に押し込みスライドさせ、他方のベース部をスライド板の長手方向の中間部から他端部側に配置する。第４工程は他方のベース部の天井又は物品の上面に対する位置を保持して、スライド部材を天井又は物品の上面に沿わせて回動させてから引き抜く。この場合、この転倒防止装置の装着治具を用いた転倒防止装置の装着方法は、押し込み部材を用いることによって転倒防止装置のダンパ部に不用意に触れることなく他方のベース部を天井又は物品の上面の所望の位置に押し込むことができる。また、この転倒防止装置の装着治具を用いた転倒防止装置の装着方法は、スライド部材を第３工程におけるスライド部材の位置に対して直角方向に引き抜くことができる。これにより、他方のベース部に対するスライド板の接触面積を最も小さくすることができるため、スライド板を他方のベース部の当接面及び物品の上面又は天井から引き抜く際の抵抗を抑えることができる。つまり、この転倒防止装置の装着治具を用いた転倒防止装置の装着方法は容易に転倒防止装置を装着することができる。
【００１６】
ここで、物品は、家具、書棚、冷蔵庫、ショーケース、サーバーラック、複数の寝台を上下方向に連結したベッド、大型テレビ等、地震等の揺れによって転倒するおそれのあるものが含まれる。
【図面の簡単な説明】
【００１７】
【図１】実施形態の転倒防止装置の装着治具のスライド部材を示す概略図である。
【図２】実施形態の転倒防止装置の装着治具を示す概略図であって（Ａ）は位置決め部材を示し、（Ｂ）は押込み治具を示す。
【図３】転倒防止装置を家具の上面と天井との間に取り付けた状態を示す側面図である。
【図４】転倒防止装置を家具の上面と天井との間に取り付けた状態を示す正面図である。
【図５】実施形態の転倒防止装置の装着治具を用いて転倒防止装置を家具の上面及び天井の間に装着する装着方法の工程を示す概略図であって、転倒防止装置の第１ベース部の滑り止め部を家具の上面に当接させ、位置決め部材を転倒防止装置の第１ベース部と壁面との間に配置した状態を示す。
【図６】実施形態の転倒防止装置の装着治具を用いて転倒防止装置を家具の上面及び天井の間に装着する装着方法の工程を示す概略図であって、天井にスライド部材を配置した状態を示す。
【図７】実施形態の転倒防止装置の装着治具を用いて転倒防止装置を家具の上面及び天井の間に装着する装着方法の工程を示す概略図であって、スライド部材のスライド板の一方の面に転倒防止装置の第２ベース部の滑り止め部を当接して、押込み部材を第２ベース部に当接した状態を示す。
【図８】実施形態の転倒防止装置の装着治具を用いて転倒防止装置を家具の上面及び天井の間に装着する装着方法の工程を示す概略図であって、押込み部材を用いて第２ベース部を押込む状態を示す。
【図９】実施形態の転倒防止装置の装着治具を用いて転倒防止装置を家具の上面及び天井の間に装着する装着方法の工程を示す概略図であって、第２ベース部の天井に対する位置を保持しつつ、スライド部材を天井に沿わせて回動させた状態を示す。
【図１０】実施形態の転倒防止装置の装着治具を用いて転倒防止装置を家具の上面及び天井の間に装着する装着方法の工程を示す概略図であって、スライド部材を天井と第２ベース部との間から引き抜いた状態を示す。
【発明を実施するための形態】
【００１８】
本発明の転倒防止装置の装着治具を具体化した実施形態について、図面を参照しつつ説明する。
【００１９】
＜実施形態＞
実施形態の転倒防止装置の装着治具は、図１、図２（Ａ）、（Ｂ）に示すように、スライド部材５０、位置決め部材５１、及び押込み部材５２を備えている。スライド部材５０はポリアセタール（ＰＯＭ）やフッ素樹脂等の合成樹脂で形成されている。スライド部材５０はスライド板５０Ａ、及び案内部５０Ｂを備えている。スライド板５０Ａは平板状をなして一方向に長く延びている。スライド板５０Ａは短辺の寸法が後述する転倒防止装置の各ベース部３０Ａ，３０Ｂの当接面である滑り止め部３７の短辺の寸法より僅かに大きい。スライド板５０Ａは一方の面が滑らかに形成されている。また、スライド板５０Ａは他方の面にクッション部材５０Ｃが貼着されている。クッション部材５０Ｃは平板状をなして一方向に長く延びている。クッション部材５０Ｃは平板状の外形がスライド板５０Ａの外形より僅かに小さい。
【００２０】
案内部５０Ｂは平板状をなして一方向に長く延びている。案内部５０Ｂの長辺方向の寸法はスライド板５０Ａの長辺方向の寸法より短い。案内部５０Ｂはスライド板５０Ａの２つの長辺のそれぞれに１つずつ連結している。詳しくは、これら案内部５０Ｂはそれぞれの長辺の一端をスライド板５０Ａの２つの長辺のそれぞれの一端に合わせている。これら案内部５０Ｂはそれぞれの一方の長辺をスライド板５０Ａの２つの長辺のそれぞれに連結している。これら案内部５０Ｂは平板状のスライド板５０Ａに対して直交する方向にスライド板５０Ａの一方の面から立ち上がっている。これら案内部５０Ｂは互いに対向する間の寸法が後述する転倒防止装置の各ベース部３０Ａ，３０Ｂの滑り止め部３７の短辺の寸法より僅かに大きい。つまり、案内部５０Ｂはスライド板５０Ａの長手方向の一端部から中間部にかけて、スライド板５０Ａの一対の長辺のそれぞれに沿って設けられている。
【００２１】
また、スライド部材５０はスライド板５０Ａの案内部５０Ｂが連結していない領域に傾斜部５０Ｄを有している。傾斜部５０Ｄは案内部５０Ｂの長辺の他端が連結した位置からスライド板５０Ａの長辺の他端にわたり板厚が徐々に薄くなるように形成されている。つまり、傾斜部５０Ｄはスライド板５０Ａの長手方向の中間部から他端部に向けて板厚が薄くなり設けられている。スライド板５０Ａは案内部５０Ｂの長辺の他端が連結した位置からスライド板５０Ａの長辺の他端までの寸法が後述する転倒防止装置の各ベース部３０Ａ，３０Ｂの長辺の寸法より大きい。また、スライド部材５０はスライド板５０Ａの案内部５０Ｂが連結していない領域の側面に側面から凸状に形成された複数の目印５０Ｅがスライド板５０Ａの長手方向に並び設けられている。
【００２２】
位置決め部材５１は、図２（Ａ）に示すように、一方向に長い直方体状をなしている。位置決め部材５１は可撓性を有している。位置決め部材５１は長手方向に対する直角方向の断面形状がほぼ正方形状をなしている。
【００２３】
押込み部材５２は、図２（Ｂ）に示すように、ほぼ直方体状をなしている。押込み部材５２は第１側面５２Ａ、第２側面５２Ｂ、第１連結面５２Ｃ、摺接面である第２連結面５２Ｄ、第３連結面５２Ｅ、第４連結面５２Ｆ、当接部５２Ｇ、及び把持孔５２Ｈを有している。第１側面５２Ａ、及び第２側面５２Ｂは１つの角部が切り欠かれた長方形状をなしている。第１側面５２Ａ、及び第２側面５２Ｂは外形寸法が同じであり互いに平行をなしている。第１側面５２Ａ、及び第２側面５２Ｂは互いの間の寸法が、スライド部材５０の２つの案内部５０Ｂの間の寸法より僅かに小さい。第１連結面５２Ｃ、第２連結面５２Ｄ、第３連結面５２Ｅ、及び第４連結面５２Ｆはそれぞれが第１側面５２Ａ及び第２側面５２Ｂのそれぞれの４つの辺を互いに繋ぐように第１側面５２Ａと第２側面５２Ｂとの間に設けられている。当接部５２Ｇは第１連結面５２Ｃ及び第２連結面５２Ｄの境界部に設けられている。当接部５２Ｇは第１側面５２Ａから第２側面５２Ｂにわたり窪んで形成されている。把持孔５２Ｈは第３連結面５２Ｅに平行に、第１側面５２Ａから第２側面５２Ｂにわたり貫通して設けられた長方形状の孔である。こうして、この転倒防止装置の装着治具が構成されている。
【００２４】
次に、この転倒防止装置の装着治具を用いて装着する転倒防止装置について説明する。
【００２５】
転倒防止装置は、図３に示すように、家具Ｆの上面（上下は図３における上側下側、以下同じ）と天井Ｃとの間に取り付けられる。好ましくは、家具Ｆの左右に一対の転倒防止装置が取り付けられる。この家具Ｆは、設置面である床面（図示せず）から鉛直方向に伸びた壁面Ｗに背面を対向させて床面上に設置されている。また、この家具Ｆは、直方体形状であり、前面（前後は図３における右側左側、以下同じ）に図示しない扉や引き出し等を有し、内部に衣類や装身具等を収納することができる。家具Ｆは、水平断面形状が左右方向（左右は図３における手前側、奥側、以下同じ）に長い長方形状である。この家具Ｆは、転倒防止装置が取り付けられていない場合、地震等の揺れによって、前方向に傾いて転倒するおそれがある。
【００２６】
転倒防止装置は、図３、４に示すように、ダンパ部であるダンパ１０、及び一対のベース部３０Ａ，３０Ｂを備えている。
【００２７】
ダンパ１０は、シリンダ１１、図示しないロッドガイド、図示しないピストン、ロッド１３、及び両端に設けられた２個のジョイント部１５を有している。シリンダ１１は有底筒状である。ロッドガイドはシリンダ１１の開口部を封鎖している。ピストンはシリンダ１１内に摺動自在に挿入されている。ロッド１３は基端部がピストンに連結されている。また、ロッド１３はロッドガイドを挿通して先端側がシリンダ１１の外部へ突出している。シリンダ１１は作動油及び圧縮ガスを封入している。各ジョイント部１５は、図３、図４に示すように、平板状の金具を折り曲げて形成されている。また、各ジョイント部１５はシリンダ１１の底部１１Ｂとロッド１３の先端部１３Ａに接続されている。各ジョイント部１５はダンパ１０の軸線に直交する方向に貫通した貫通孔１５Ａが形成されている。
【００２８】
ダンパ１０は収縮動作時に発生する減衰力が伸長動作時に発生する減衰力よりも大きい圧効きダンパである。ここで、ダンパ１０の伸長動作とは、シリンダ１１からロッド１３の突出する長さ（ダンパ１０の全長）が長くなっていく動作を意味する。また、ダンパ１０の収縮動作とは、シリンダ１１からロッド１３の突出する長さ（ダンパ１０の全長）が短くなっていく動作を意味する。また、ダンパ１０はシリンダ１１に封入した圧縮ガスの圧力が伸長方向に働いている。つまり、ダンパ１０は伸長方向に付勢力を発生する。
【００２９】
ダンパ１０の減衰力が発生するメカニズムは、周知の構造であるため、図示を省略して説明する。シリンダ１１は、内部がピストンによって、ロッド１３の基端部が収納されているロッド側圧力室と、反ロッド側圧力室とに仕切られている。ピストンは両圧力室間を連通させる絞り弁であるオリフィスが形成されている。オリフィスは、ダンパ１０の伸縮動作に伴うロッド側圧力室と反ロッド側圧力室との間の作動油の流れに抵抗を付与して減衰力を発生する減衰力発生部として機能する。また、ピストンは逆止弁を介して両圧力室間を連通する連通路が形成されている。逆止弁は、ロッド側圧力室から反ロッド側圧力室への作動油の流れを許容し、その逆の流れを阻止する。このため、ダンパ１０は、伸長動作時、ロッド側圧力室から反ロッド側圧力室への作動油の流路経路が、オリフィスと連通路の経路になる。一方、ダンパ１０は、収縮動作時、反ロッド側圧力室からロッド側圧力室への作動油の流路経路がオリフィスのみとなる。このため、ダンパ１０は伸長動作時に発生する減衰力が収縮動作時に発生する減衰力よりも小さくなる。
【００３０】
一対のベース部３０Ａ，３０Ｂは、図３、４に示すように、シリンダ１１の底部１１Ｂに接続されたジョイント部１５を連結した第１ベース部３０Ａであり、ロッド１３の先端部１３Ａに接続されたジョイント部１５を連結した第２ベース部３０Ｂである。第１ベース部３０Ａは家具Ｆの上面に当接して載置され、第２ベース部３０Ｂは天井Ｃに当接する。第１ベース部３０Ａ及び第２ベース部３０Ｂは同じ形態及び構造である。各ベース部３０Ａ，３０Ｂは、ベース部本体３１、回動軸部材であるボルト４５及びナット４７、及び滑り止め部３７を有している（図４参照。）。各ベース部３０Ａ，３０Ｂは、それぞれが、ダンパ１０のジョイント部の貫通孔１５Ａにボルト４５が挿通されており、ボルト４５にナット４７がねじ込まれている。各ベース部３０Ａ，３０Ｂは、ボルト４５の軸部４５Ｂに対して回動自在である。つまり、各ベース部３０Ａ，３０Ｂはダンパ１０の両端部のそれぞれを回動軸周りに回動自在に連結している。こうして、各ベース部３０Ａ，３０Ｂはダンパ１０の伸長方向の両端のそれぞれに設けられている。
【００３１】
家具Ｆの上面に第１ベース部３０Ａを当接して載置された状態で第１ベース部３０Ａを上方から見た平面視において、ベース部本体３１は長方形状をなしている（以下、この平面視におけるベース部本体３１の外形において長辺が延びている方向を「長辺方向」と言い、短辺が延びている方向を「短辺方向」と言う。）。また、家具Ｆの上面に当接して載置された状態で第１ベース部３０Ａを短辺方向に見た側面視において、ベース部本体３１は下端縁が家具Ｆの上面に平行に直線状に伸びており、上端縁が下端縁の両側から上方に膨らんだ円弧状をなしている（図３参照。）。また、家具Ｆの上面に当接して載置された状態で第１ベース部３０Ａを長辺方向に見た側面視において、ベース部本体３１は下端縁と比べて上端縁の寸法が短いほぼ台形状をなしている（図４参照。）。
【００３２】
当接面である滑り止め部３７は、図３、図４に示すように、ベース部本体３１の外形に対して僅かに大きい相似形（長方形状）の外形である。滑り止め部３７はゴム製である。また、滑り止め部３７は、家具Ｆの上面に当接して載置された状態の第１ベース部３０Ａにおいて、ベース部本体３１の下端面に取り付けられる。また、滑り止め部３７は平板状をなしている。つまり、この転倒防止装置は各ベース部３０Ａ，３０Ｂがそれぞれ設置面上に設置された家具Ｆの上面及び天井Ｃのそれぞれに当接する滑り止め部３７が設けられている。
【００３３】
次に、転倒防止装置の装着治具を用いて、転倒防止装置を設置面上に設置された家具Ｆの上面と天井Ｃとの間に装着する装着方法について説明する。先ず、予め転倒防止装置を装着する家具Ｆの上面と天井Ｃとの間の寸法Ｈを測定して確認する（図５参照。）。
【００３４】
次に、図５に示すように、家具Ｆの壁面Ｗ側の上面に位置決め部材５１を配置する。詳しくは、位置決め部材５１の長手方向を左右方向にして、位置決め部材５１の長手方向に延びる１つの面を壁面Ｗに当接させて、位置決め部材５１を家具Ｆの上面に配置する。
【００３５】
次に、家具Ｆの壁面Ｗ側の上面に第１ベース部３０Ａの滑り止め部３７を当接させて載置する（第１工程。）。詳しくは、第１ベース部３０Ａの一方の短辺を家具Ｆの上面に配置した位置決め部材５１の前側に当接させる。これにより、壁面Ｗに対する転倒防止装置の第１ベース部３０Ａの位置が決定する。つまり、位置決め部材５１は家具Ｆの上面側に滑り止め部３７が当接する第１ベース部３０Ａと、家具Ｆの背面に位置する壁面Ｗとの間に設けられている。こうして第１工程を終了する。
【００３６】
次に、図６に示すように、天井Ｃにスライド板５０Ａの裏面を当接してスライド板５０Ａの他端を家具Ｆの背面に位置する壁面Ｗに突き当ててスライド部材５０を配置する（第２工程。）。詳しくは、スライド板５０Ａの裏面のクッション部材５０Ｃを天井Ｃに当接させて、スライド板５０Ａの長辺の他端を壁面Ｗに突き当てる。そして、スライド板５０Ａの傾斜部５０Ｄを天井Ｃの第２ベース部３０Ｂを配置する位置に合わせる。このとき、案内部５０Ｂを傾斜部５０Ｄに対して前側に配置する。こうして第２工程を終了する。
【００３７】
なお、このとき、スライド板５０Ａの複数の目印５０Ｅは、それぞれが壁面Ｗから所定の寸法離れている。これら目印５０Ｅの壁面Ｗからの寸法はそれぞれが家具Ｆの上面と天井Ｃとの間の寸法が異なる場合に対応している。詳しくは、転倒防止装置を装着する家具Ｆの上面と天井Ｃとの間の寸法に対応した目印５０Ｅに転倒防止装置の第２ベース部３０Ｂの一方の短辺を揃える。これにより、家具Ｆの上面と天井Ｃとの間の寸法が異なる場合であっても転倒防止装置のダンパ１０の傾斜角度が鉛直方向に対して１５°〜２５°の間の角度で転倒防止装置を家具Ｆの上面と天井Ｃとの間に装着することができる。例えば、家具Ｆの上面と天井Ｃとの間の寸法が転倒防止装置が取り付けることができる最小の寸法の場合、壁面Ｗに対して最も近い位置の目印５０Ｅに第２ベース部３０Ｂの一方の短辺を揃える。また、家具Ｆの上面と天井Ｃとの間の寸法が転倒防止装置が取り付けることができる最大の寸法の場合、壁面Ｗに対して最も遠い位置の目印５０Ｅに第２ベース部３０Ｂの一方の短辺を揃える。
【００３８】
次に、図７に示すように、スライド板５０Ａの表面に第２ベース部３０Ｂの滑り止め部３７を当接して、押込み部材５２を用いて、第２ベース部３０Ｂをスライド板５０Ａの一端部から他端部に押し込みスライドさせ、第２ベース部３０Ｂをスライド板５０Ａの長手方向の中間部から他端部側に配置する（第３工程。）。詳しくは、第２ベース部３０Ｂを２つの案内部５０Ｂの間に配置してスライド板５０Ａの表面に滑り止め部３７を当接する。そして、スライド板５０Ａの一端部側に位置する第２ベース部３０Ｂの他方の短辺側の端部に押込み部材５２の当接部５２Ｇを当接させる。つまり、押込み部材５２はスライド板５０Ａに滑り止め部３７が当接した第２ベース部３０Ｂの表面に当接する当接部５２Ｇを有している。このとき、押込み部材５２の第２連結面５２Ｄを天井Ｃに対して平行になるように押込み部材５２を配置する。また、押込み部材５２の第１側面５２Ａ、及び第２側面５２Ｂが２つの案内部５０Ｂの間になるように押込み部材５２を配置する。そして、押込み部材５２の把持孔５２Ｈを把持して押込み部材５２を２つの案内部５０Ｂの間に向けて押込む。つまり、押込み部材５２は当接部５２Ｇによって第２ベース部３０Ｂをスライド板５０Ａの一端部から他端部に向けて押し込み、第２ベース部３０Ｂを天井Ｃの所望の位置に摺接しながらスライドさせる。このとき、押込み部材５２の第２連結面５２Ｄはスライド板５０Ａの表面と摺接する。すると、転倒防止装置はダンパ１０が収縮しながら第２ベース部３０Ｂがスライド板５０Ａをスライド部材５０の他端部に向けて２つの案内部５０Ｂの間を通りスライドする。つまり、案内部５０Ｂは第２ベース部３０Ｂをスライド板５０Ａの一端部から他端部に案内する。また、スライド板５０Ａは裏面のクッション部材５０Ｃを天井Ｃに当接させ、長手方向の一端部から他端部に向けて表面に滑り止め部３７を当接させながらスライドさせて第２ベース部３０Ｂを天井Ｃの所望の位置に当接させる。
【００３９】
そして、図８に示すように、スライド板５０Ａの長辺の他端側の第２ベース部３０Ｂの短辺を装着する家具Ｆの上面と天井Ｃとの間の寸法Ｈに対応するスライド板５０Ａの目印５０Ｅに合わせる。これにより、転倒防止装置のダンパ１０の傾斜角度が鉛直方向に対して１５°〜２５°の間の角度にすることができる。つまり、この転倒防止装置の装着治具は第１ベース部３０Ａを家具Ｆの上面に当接させた状態で、第２ベース部３０Ｂを天井Ｃの所望する位置に当接させる。また、位置決め部材５１は第２ベース部３０Ｂをスライド板５０Ａの一端部から他端部に向けて案内したときに、第１ベース部３０Ａを所定の位置に固定させる。このとき、スライド板５０Ａの一端側の第２ベース部３０Ｂの他方の短辺の位置は２つの案内部５０Ｂの間を通過している。こうして第３工程を終了する。
【００４０】
次に、図９に示すように、第２ベース部３０Ｂの天井Ｃに対する位置を保持して、スライド部材５０を天井Ｃに沿わせて回動させてから引き抜く（第４工程）。詳しくは、第２ベース部３０Ｂの天井Ｃに対する位置を保持しつつ、スライド板５０Ａの第２ベース部３０Ｂの滑り止め部３７が当接した部分を回動の中心（図９における軸線Ａr）にしてスライド部材５０を天井Ｃに沿わせて回動させる。スライド部材５０を回動させる角度は第３工程を実行した際のスライド板５０Ａの延びる方向に対して９０°程度である。つまり、スライド部材５０を第３工程におけるスライド部材５０の位置に対して直角方向（紙面手前方向）に回動させる。そして、スライド板５０Ａを第２ベース部３０Ｂの滑り止め部３７と天井Ｃとの間から紙面手前方向に引き抜く。こうして第４工程を終了する。
【００４１】
そして、位置決め部材５１を第１ベース部３０Ａと壁面Ｗとの間から取り外す。こうして、図１０に示すように、この転倒防止装置の装着治具を用いて転倒防止装置を設置面上に設置された家具Ｆの上面と天井Ｃとの間に装着することができる。
【００４２】
また、装着した転倒防止装置の第２ベース部３０Ｂの位置を微調整する場合、スライド部材５０の傾斜部５０Ｄを回動の中心にしてスライド部材５０を天井Ｃに沿わせて紙面手前方向、及び紙面奥方向に往復するように回動させながら第２ベース部３０Ｂの滑り止め部３７と天井Ｃとの間に傾斜部５０Ｄを差し込む。そして、転倒防止装置の第２ベース部３０Ｂをスライド板５０Ａの一端部と他端部との間でスライドさせて第２ベース部３０Ｂの位置を調整する。その後、スライド板５０Ａの第２ベース部３０Ｂの滑り止め部３７が当接した部分を回動の中心にしてスライド部材５０を天井Ｃに沿わせてスライド部材５０を第２ベース部３０Ｂの位置を調整した際のスライド部材５０の位置に対して直角方向（紙面手前方向）に回動させてスライド板５０Ａを第２ベース部３０Ｂの滑り止め部３７と天井Ｃとの間から紙面手前方向に引き抜く。こうして、この転倒防止装置の装着治具を用いて転倒防止装置の第２ベース部３０Ｂの位置を容易に微調整することができる。また、第２ベース部３０Ｂをスライド板５０Ａの他端部から一端部に向けてスライドさせる。そして、転倒防止装置のダンパ１０を完全に伸長させると天井Ｃに対してダンパ１０の伸長方向の付勢力が掛からなくなくなり、第２ベース部３０Ｂ及びダンパ１０の自重により第２ベース部３０Ｂの滑り止め部３７が天井Ｃから容易に離れる。こうして、この転倒防止装置の装着治具を用いて装着された転倒防止装置を容易に取り外すこともできる。
【００４３】
このように、この転倒防止装置の装着治具はスライド板５０Ａの表面に第２ベース部３０Ｂの滑り止め部３７を当接させながら第２ベース部３０Ｂをスライド板５０Ａの表面を自在にスライドさせることができる。また、この転倒防止装置の装着治具は、第２ベース部３０Ｂをスライド板５０Ａの表面をスライドさせる際に、案内部５０Ｂによってスライド板５０Ａから第２ベース部３０Ｂが脱落することを防止する。このため、この転倒防止装置の装着治具は容易に第２ベース部３０Ｂをスライド板５０Ａの表面をスライドさせて、転倒防止装置を所望の位置に装着することができる。
【００４４】
したがって、本発明の転倒防止装置の装着治具は、容易に転倒防止装置を装着することができる。
【００４５】
また、このスライド板５０Ａは、長手方向の中間部から他端部に向けて板厚が薄くなる傾斜部５０Ｄを有している。このため、この転倒防止装置の装着治具は傾斜部５０Ｄがスライド板５０Ａの他端部に向けて薄く形成されている。これにより、この転倒防止装置の装着治具は傾斜部５０Ｄに到達した第２ベース部３０Ｂの滑り止め部３７と天井Ｃとの間から容易に傾斜部５０Ｄを抜き取ることができる。また、設置した転倒防止装置の第２ベース部３０Ｂを移動させる場合、この転倒防止装置の装着治具はスライド部の傾斜部５０Ｄを第２ベース部３０Ｂの滑り止め部３７と天井Ｃとの間に容易に差し込むことができる。これにより、この転倒防止装置の装着治具は転倒防止装置の第２ベース部３０Ｂを容易に移動させることができ、転倒防止装置の設置する位置を容易に微調整できる。また、転倒防止装置を容易に取り外すこともできる。
【００４６】
また、この転倒防止装置の装着治具は、スライド板５０Ａの表面に滑り止め部３７が当接した第２ベース部３０Ｂの表面に当接する当接部５２Ｇ、及びスライド板５０Ａの表面に摺接する第２連結面５２Ｄを有し、当接部５２Ｇによって第２ベース部３０Ｂをスライド板５０Ａの一端部から他端部に向けて押し込み、第２ベース部３０Ｂを天井Ｃの所望の位置に摺接しながらスライドさせる押込み部材５２を備えている。このため、この転倒防止装置の装着治具は、転倒防止装置のダンパ１０に不用意に触れることなく第２ベース部３０Ｂを天井Ｃの所望の位置に押し込むことができる。このため、この転倒防止装置の装着治具は転倒防止装置を装着する際に、ダンパ１０が変形したり、傷ついたりすることを抑えることができる。
【００４７】
また、この転倒防止装置の装着治具は、家具Ｆの上面側に滑り止め部３７が当接する第１ベース部３０Ａと、家具Ｆの背面に位置する壁面Ｗとに当接して設けられ、第２ベース部３０Ｂをスライド板５０Ａの一端部から他端部に向けて案内したときに、第１ベース部３０Ａを所定の位置に固定させる位置決め部材５１を備えている。このため、この転倒防止装置の装着治具はスライド板５０Ａの表面を第２ベース部３０Ｂを壁面Ｗに向けてスライドさせる場合、第１ベース部３０Ａが家具Ｆの上面側の所望の位置から壁面Ｗに向かいずれることを抑えることができる。
【００４８】
また、この転倒防止装置の装着治具を用いた転倒防止装置の装着方法は、第１工程、第２工程、第３工程、及び第４工程を備えている。第１工程は家具Ｆの上面に第１ベース部３０Ａを当接する。第２工程は天井Ｃにスライド板５０Ａの裏面のクッション部材５０Ｃを当接して、スライド板５０Ａの他端を家具Ｆの背面に位置する壁面Ｗに突き当ててスライド部材５０を配置する。第３工程はスライド板５０Ａの表面に第２ベース部３０Ｂの滑り止め部３７を当接して、押込み部材５２を用いて、第２ベース部３０Ｂをスライド板５０Ａの一端部から他端部に押し込みスライドさせ、第２ベース部３０Ｂをスライド板５０Ａの長手方向の中間部から他端部側に配置する。第４工程は第２ベース部３０Ｂの天井又は物品の上面に対する位置を保持して、スライド部材５０を天井Ｃに沿わせて回動させてから引き抜く。このため、この転倒防止装置の装着治具を用いた転倒防止装置の装着方法は、押し込み部材を用いることによって転倒防止装置のダンパ１０に不用意に触れることなく第２ベース部３０Ｂを天井の所望の位置に押し込むことができる。また、スライド部材５０を第３工程におけるスライド部材５０の位置に対して直角方向（図９における紙面手前方向）に引き抜くことができる。これにより、第２ベース部３０Ｂに対するスライド板５０Ａの接触面積を最も小さくすることができるため、スライド板５０Ａを第２ベース部３０Ｂの滑り止め部３７及び天井Ｃから引き抜く際の抵抗を抑えることができる。つまり、この転倒防止装置の装着治具を用いた転倒防止装置の装着方法は容易に転倒防止装置を装着することができる。
【００４９】
本発明は上記記述及び図面によって説明した実施形態に限定されるものではなく、例えば次のような実施形態も本発明の技術的範囲に含まれる。
（１）実施形態では、スライド部材に傾斜部を設けているが、これに限らず、スライド部材に傾斜部を設けず、スライド板の板厚をより薄くしても良い。
（２）実施形態では、押込み部材に把持孔を設けているが、これに限らず、押込み部材に把持孔を設けず、第１側面、又は第２側面の少なくとも一方に凹部等を設けても良い。
（３）実施形態では、スライド板を平板状に形成してベース部の当接面を当接してスライドさせているが、これに限らず、スライド板の表面に複数のボールローラや複数のころを設けてベース部の滑り止め部を当接してスライドさせても良い。
（４）実施形態では、位置決め部材を用いているが、これに限らず、位置決め部材を用いずに、ベース部を壁面に突き当てても良い。
（５）実施形態では、スライド部材を天井に当接しているが、これに限らず、スライド部材を家具の上面に当接しても良い。
（６）実施形態では、スライド部材をポリアセタール（ＰＯＭ）やフッ素樹脂等の合成樹脂で形成しているが、これに限らず、スライド部材を、金属や木材等の他の材料で形成しても良い。
（７）実施形態では、スライド部材を天井に沿わせて紙面手前方向に回動させてから引き抜いているが、これに限らず、スライド部材を天井に沿わせて紙面奥方向に回動させてから引き抜いても良い。
【符号の説明】
【００５０】
Ｃ…天井、Ｆ…家具（物品）、Ｗ…壁面、１０…ダンパ（ダンパ部）、３０Ａ，３０Ｂ…ベース部（３０Ａ…第１ベース部（一方のベース部）、３０Ｂ…第２ベース部（他方のベース部））、３７…滑り止め部（当接面）、５０…スライド部材、５０Ａ…スライド板、５０Ｂ…案内部、５０Ｄ…傾斜部、５１…位置決め部材、５２…押込み部材、５２Ｄ…第２連結面（摺接面）、５２Ｇ…当接部
【図１】
2017217057.tif 000003
【図２】
2017217057.tif 000004
【図３】
2017217057.tif 000005
【図４】
2017217057.tif 000006
【図５】
2017217057.tif 000007
【図６】
2017217057.tif 000008
【図７】
2017217057.tif 000009
【図８】
2017217057.tif 000010
【図９】
2017217057.tif 000011
【図１０】
2017217057.tif 000012